【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
画像形成装置の機能を拡張するコントローラ装置であって、
印刷ジョブを発行するクライアント端末が接続されたネットワークと通信するための第１の通信手段と、
前記画像形成装置と通信するための第２の通信手段と、
前記第１の通信手段で受信した印刷ジョブに記述された機能拡張指示情報に基づき出力用画像データを生成する画像処理手段と、
生成した出力用画像データを前記第２の通信手段を介して前記画像形成装置に出力する出力手段とを備え、
更に、前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶手段と、
前記第２の通信手段を介してリカバリー要求メッセージを受信した場合、前記記憶手段を参照して、前記ユーザ記録紙名情報、前記プリンタ記録紙名情報のいずれを用いるかを決定してリカバリ要求メッセージを再生成し、再生成したリカバリー要求メッセージを出力する出力手段と
を備えることを特徴とするコントローラ装置。
【請求項２】
前記出力手段は、リカバリー要求メッセージをクライアント端末に前記第１の通信手段を介して出力することを特徴とする請求項１記載のコントローラ装置。
【請求項３】
前記出力手段は、リカバリー要求メッセージをコントローラ装置の表示部に出力することを特徴とする請求項１記載のコントローラ装置。
【請求項４】
前記出力手段は、リカバリー要求メッセージをカラープリンタ装置に出力することを特徴とする請求項１記載のコントローラ装置。
【請求項５】
前記第２の通信手段は、前記画像形成装置とステータス通信を行なうためのネットワークインタフェースと、出力用画像データを転送するための独立した転送バスインタフェースとを含むことを特徴とする請求項１に記載のコントローラ装置。
【請求項６】
更に前記記憶手段は、ネットワーク上からの要求に従ってユーザ記録紙に関する情報を前記ユーザ記録紙名情報として格納することを特徴とする請求項１に記載のコントローラ装置。
【請求項７】
印刷ジョブを発行するクライアント端末が接続されたネットワークと通信するための第１の通信手段と、機能を拡張する対象となる画像形成装置と通信するための第２の通信手段とを有し、前記画像形成装置の機能を拡張するコントローラ装置の制御方法であって、
前記第１の通信手段で受信した印刷ジョブに記述された機能拡張指示情報に基づき出力用画像データを生成する画像処理工程と、
生成した出力用画像データを前記第２の通信手段を介して前記画像形成装置に出力する出力工程とを備え、
更に、前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶工程と、
前記第２の通信手段を介してリカバリー要求メッセージを受信した場合、前記ユーザ記録紙データベースを参照して、前記ユーザ記録紙名情報、前記プリンタ記録紙名情報のいずれを用いるかを決定してリカバリ要求メッセージを再生成し、再生成したリカバリー要求メッセージを出力する出力工程と
を備えることを特徴とするコントローラ装置の制御方法。
【請求項８】
ネットワークに接続され、印刷ジョブを発行する１以上のクライアント端末と、画像形成装置と、当該画像形成装置の機能を拡張するコントローラ装置とで構成されるネットワーク印刷システムであって、
前記コントローラ装置は、
印刷ジョブを発行するクライアント端末が接続されたネットワークと通信するための第１の通信手段と、
前記画像形成装置と通信するための第２の通信手段と、
前記第１の通信手段で受信した印刷ジョブに記述された機能拡張指示情報に基づき出力用画像データを生成する画像処理手段と、
生成した出力用画像データを前記第２の通信手段を介して前記画像形成装置に出力する出力手段と、
前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶手段と、
前記第１の通信手段を介して、クライアント端末からプリンタ用紙情報の検索要求を受信した場合、前記第２の通信手段を介して前記画像形成装置からプリンタ用紙情報を取得し、検索要求に一致するプリンタ用紙情報を要求元のクライアント端末に送信する第１の送信手段と、
前記第２の通信手段を介してリカバリー要求メッセージを受信した場合、前記記憶手段を参照して、前記ユーザ記録紙名情報、前記プリンタ記録紙名情報のいずれを用いるかを決定してリカバリ要求メッセージを再生成し、再生成したリカバリー要求メッセージを出力する出力手段とを備え、
前記各クライアント端末は、
前記コントローラ装置を画像形成装置として認識し、前記コントローラ装置の第１の通信手段に対して印刷ジョブを送信する印刷ジョブ発行手段を備え、
前記少なくともクライアント端末の１つは、
前記コントローラ装置の前記記憶手段にユーザ記録紙名情報を登録するため、複数の入力項目を有する設定ウインドウを表示する表示手段と、
所望とする入力項目について入力され、検索指示が入力された場合、入力済みの項目の情報を含む検索要求を前記コントローラ装置の第１の通信手段に送信する検索要求手段と、
該検索要求手段で検索要求したことで、受信したプリンタ記録紙名情報の中の１つを選択する選択手段と、
選択したプリンタ記録紙名情報に基づき、未入力項目を設定する設定手段と、
前記設定ウインドウで設定された情報を前記コントローラ装置が有する記憶手段に対して登録要求する登録要求手段と
を備えることを特徴とする印刷システム。
【請求項９】
画像形成装置に登録されているプリンタ記録紙名を含む用紙に対応してユーザ記録紙名を登録する登録手段と、
リカバリー時にプリンタ記録紙名を表示させるかユーザ記録紙名を表示させるかを指定する指定手段と、
リカバリー時に前記指定手段による指定に基づきプリンタ記録紙名またはユーザ記録紙名を含むメッセージを出力する出力手段とを有することを特徴とするコントローラ装置。 
【請求項１０】
前記登録手段は、プリンタ記録紙名に対応してプロファイルを登録することを特徴とする請求項９に記載のコントローラ装置。
【請求項１１】
前記登録手段により登録される画像形成装置に登録されているプリンタ記録紙名を含む用紙は、ユーザに指定された条件で検索されたものを含むことを特徴とする請求項９に記載のコントローラ装置。
【請求項１２】
画像形成装置に登録されているプリンタ記録紙名を含む用紙に対応してユーザ記録紙名を登録する登録ステップと、
リカバリー時にプリンタ記録紙名を表示させるかユーザ記録紙名を表示させるかを指定する指定ステップと、
リカバリー時に前記指定ステップによる指定に基づきプリンタ記録紙名またはユーザ記録紙名を含むメッセージを出力する出力ステップとを有することを特徴とするコントローラ装置の制御方法。
【請求項１３】
前記登録ステップは、プリンタ記録紙名に対応してプロファイルを登録することを特徴とする請求項１２に記載のコントローラ装置の制御方法。
【請求項１４】
前記登録ステップにより登録される画像形成装置に登録されているプリンタ用紙名を含む用紙は、ユーザに指定された条件で検索されたものを含むことを特徴とする請求項１２に記載のコントローラ装置の制御方法。
【請求項１５】
画像形成装置に登録されているプリンタ記録紙名を含む用紙に対応してユーザ記録紙名を登録する登録ステップと、
リカバリー時にプリンタ記録紙名を表示させるかユーザ記録紙名を表示させるかを指定する指定ステップと、
リカバリー時に前記指定ステップによる指定に基づきプリンタ記録紙名またはユーザ記録紙名を含むメッセージを出力する出力ステップとをコンピュータに実行させることを特徴とするコンピュータプログラム。
【請求項１６】
前記登録ステップは、プリンタ記録紙名に対応してプロファイルを登録することを特徴とする請求項１５に記載のコンピュータプログラム。
【請求項１７】
前記登録ステップにより登録される画像形成装置に登録されているプリンタ記録紙名を含む用紙は、ユーザに指定された条件で検索されたものを含むことを特徴とする請求項１５に記載のコンピュータプログラム。